(57)【要約】【課題】本発明は、優れた熱放散機能を有する照明装置を与えることを目的とする。【解決手段】本発明は、放熱板を有する照明装置に係る。該放熱板は、上に熱伝導性絶縁膜が備えられた回路取付け側を有する。点灯機器は、プリント回路、及び発光ダイオードを有する点灯ユニットを有する。該プリント回路は、放熱板の回路取付け側上に与えられ、熱伝導性絶縁膜と熱的に接触する。該発光ダイオードは、チップダイの形状であり、プリント回路に対して電気的及び有線的に接続され、また、熱伝導性絶縁膜と熱的に接触する。【選択図】図３
2007234571.tif 000002
【特許請求の範囲】
【請求項１】
照明装置であって、
放熱板（１，５）と、点灯機器と、を有し、
前記放熱板は、回路取付け側を有し、前記回路取付け側上に熱伝導性絶縁膜（１４）を備えられ、
前記点灯機器は、
前記放熱板（１，５）の前記回路取付け側上に与えられ、前記熱伝導性絶縁膜（１４）と熱的接触をするプリント回路（３，３’，３’’）と、
チップダイの形状であり、前記プリント回路（３，３’，３’’）に対して電気的及び有線的に接続され、前記熱伝導性絶縁膜（１４）と熱的接触をする発光ダイオード（２，２１’，２１’’）を有する点灯ユニット（２）と、
を有する、
照明装置。
【請求項２】
前記熱伝導性絶縁膜（１４）は、ダイヤモンド状炭素膜である、
請求項１記載の照明装置。
【請求項３】
前記熱伝導性絶縁膜（１４）は、陽極酸化アルミニウム膜である、
請求項１記載の照明装置。
【請求項４】
前記放熱板（１，５）は、
前記回路取付け側としての機能を果たす第１の面（１１１，５１１）と前記第１の面（１１１，１５１）に対して対向する第２の面（１１２，５１２）と、を有するベース板（１１，５１）と、
前記ベース板（１１，５１）の前記第２の面（１１２，４１２）から延在する複数の平行な熱放散フィン（１２，５２）と、
を有する、
請求項１記載の照明装置。
【請求項５】
前記熱放散フィン（１２）の各々は、前記ベース板（１１）と一体的に形成された第１の端部（１２１）と、前記第１の端部（１２１）に対して対向する第２の端部（１２２）と、を有し、
前記照明装置は、前記放熱板（１）の前記熱放散フィン（１２）の前記第２の端部（１２２）上に取り付けられた熱放散ファン（４）を更に有する、
請求項４記載の照明装置。
【請求項６】
前記放熱板（１，５）の前記熱放散フィン（１２，５２）の各々は、その上に窒化ホウ素被覆を備えられる、
請求項４記載の照明装置。
【請求項７】
前記点灯機器の前記点灯ユニット（２，２’）は、前記放熱板（１，５）の前記回路取付け側上に配置され且つ前記発光ダイオード（２１，２１’，２１’’）を覆う、透明なカバー部材（２２，２２’）を更に有する、
請求項１記載の照明装置。
【請求項８】
前記点灯ユニット（２）の前記発光ダイオード（２１）は、熱伝導性接着剤（Ａ）を使用して前記放熱板（１）の前記回路取付け側上に取り付けられる、
請求項１記載の照明装置。
【請求項９】
前記熱伝導性接着剤（Ａ）は、銀接着剤を有する、
請求項８記載の照明装置。
【請求項１０】
前記照明ユニット（２）の前記発光ダイオード（２１）は、蛍光層（２３）を有して被覆された外面（２１０）を有する、
請求項１記載の照明装置。
【請求項１１】
前記点灯機器は、前記放熱板（１）の前記回路取付け側上に固定的に配置され且つその上に前記プリント回路（３’’）備えられた、回路基板（８）を更に有し、
前記回路基板（８）は、前記点灯ユニット（２）の前記発光ダイオード（２１，２１’’）を受けるようスルーホール（８２）を有して形成され、前記点灯ユニット（２）の前記発光ダイオード（２１，２１’’）が前記熱伝導性絶縁膜（１４）上に直接取り付けられる、
請求項１記載の照明装置。
【請求項１２】
前記点灯装置の前記点灯ユニットの前記発光ダイオード（２１’’）は、少なくとも１つの灯芯（２１１）を有して形成される、
請求項１記載の照明装置。
【発明の詳細な説明】
【技術分野】
【０００１】
本発明は、照明装置、より特には、熱放散機能を有する照明装置に係る。
【背景技術】
【０００２】
一般的に、発光ダイオードは、照明装置において広く使用される。輝度を高めるには、照明装置において使用される発光ダイオードの数を増加させることが必要である。それによって、発光ダイオードによって生成された熱が増大する。故に、かかる照明装置は、それによって生成される熱を効率的に放散するよう求められる。
【０００３】
図１及び図２を参照すると、従来の照明装置１０は、放熱板１０１、回路基板１０２、及び複数の発光ダイオード１０３を有するよう示される。回路基板１２は、シリコン粘着剤  （Ａ）を使用して放熱板１０１の取付け側１０４上に固定的に取り付けられる。各発光ダイオード１０３は、熱伝導性接着剤（Ｂ）を使用して回路基板１０２上に固定的に取り付けられる。かかる構造において、放熱板１０１は熱放散に対して使用されるが、発光ダイオード１０３は、放熱板１０１とは、それらの間に回路基板１０２、シリコン粘着剤（Ａ）、及び熱伝導性接着剤（Ｂ）があるため直接接触しない。結果として、発光ダイオード１０３によって生成された熱は、放熱板１０１によって効率的に放散され得ない。
【発明の開示】
【発明が解決しようとする課題】
【０００４】
本発明は、優れた熱放散機能を有する照明装置を与えることを目的とする。
【課題を解決するための手段】
【０００５】
本発明によれば、照明装置は、上に熱伝導性絶縁膜を備えられた回路取付け側を有する放熱板、並びに、プリント回路及び発光ダイオードを有する点灯ユニットを有する点灯機器を有する。該プリント回路は、放熱板の回路取付け側上に与えられ、熱伝導性絶縁膜と熱的接触をする。該発光ダイオードは、チップダイの形状であり、プリント回路に対して電気的及び有線的に接続され、熱伝導性絶縁膜と熱的接触をする。
【発明を実施するための最良の形態】
【０００６】
本発明の他の特徴及び利点は、添付の図面を参照し、望ましい実施例の以下の詳細な説明において明らかとなる。
【０００７】
本発明をより詳細に説明する前に、同様の要素が本願を通して同一の参照符号によって示される、ことが留意されるべきである。
【０００８】
図３及び図４を参照すると、本発明に従った照明装置の第１の望ましい実施例は、放熱板１、点灯機器、及び熱放散ファン４を有するよう示される。
【０００９】
放熱板１は、Ｃｕ，Ａｌ，Ｆｅ，Ｃｕ合金等の金属材料で作られ、複数の平行である熱放散フィン１２、及び、対向する第１及び第２の面１１１，１１２を有するベース板１１を有する。ベース板１１の第１の面１１１は、回路取付け側を構成する。熱放散フィン１２は、ベース板１１の第２の面１１２から延在する。熱放散フィン１２の各々は、ベース板１１と一体的に形成された第１の端部１２１、及び、第１の端部１２１に対して対向する第２の端部１２２を有する。放熱板１のベース板１１の第１の面１１１、即ち回路取付け側は、その上に、ダイヤモンド状炭素（ＤＬＣ）膜又は陽極酸化アルミニウム膜等の熱伝導性絶縁膜１４を備えられる。熱放散フィン１２の各々は、噴霧によってその上に窒化ホウ素被覆を備えられる、ことが留意される。
【００１０】
この実施例では、点灯機器は、プリント回路３及び複数の点灯ユニット２を有する。プリント回路３は、放熱板１のベース板１１の第１の面１１１上に与えられ、熱伝導性絶縁膜１４と熱的に接触する。点灯ユニット２は、アレイにおいて配置される。点灯ユニット２の各々は、発光ダイオード２１及び透明なカバー部材２２を有する。発光ダイオード２１は、チップダイの形状であり、銀接着剤等の熱伝導性接着剤（Ａ）を使用して放熱板１１のベース板１１の第１の面１１１上に取り付けられ、また、熱伝導性絶縁膜１３と熱的に接触する。各点灯ユニット２の発光ダイオード２１は、ワイヤ・ボンディングによってプリント回路３に対して電気的及び有線的に接続されること、並びに、蛍光層２３を有して被覆される外面２１０を有すること、が留意される。透明なカバー部材２２は、シリコン接着剤を使用して放熱板１のベース板１１の第１の面１１１上に固定的に取り付けられ、発光ダイオード２１を覆う。この実施例では、各点灯ユニット２の透明なカバー部材２２は、中空の半球形のカバーを有し、また、点灯機器の輝度を高めるよう、（ＯＣＨ３）２（Ｃ６Ｈ４）２（ＣＨＣＨＣ６Ｈ４）２、Ｃ６Ｈ４ＮＯＣＣ１０Ｈ６ＣＯＮＨ４Ｃ６、及び、Ｃ６Ｈ５ＣＨＣＨＣ６Ｈ５の一群から選択された成分を加えられた透明なプラスチック材料で作られる。
【００１１】
熱放散ファン４は、放熱板１の熱放散フィン１２の第２の端部１２２上に取り付けられる。
【００１２】
窒化ホウ素被覆があるため、放熱板１の効果的な総熱放散範囲は、窒化ホウ素被覆がない場合の少なくとも１５０倍まで増加され得る。それによって、約３℃乃至8度の温度低下がなされる。したがって、放熱板１の熱放散効率は、約１０％分高められる。さらには、熱伝導性絶縁膜１４があるため、本発明の照明装置は、優れた熱放散機能を与えられ得る。
【００１３】
図５は、第１の望ましい実施例の変形である、本発明に従った照明装置の第２の望ましい実施例を例示する。この実施例において、放熱板５は、アルミニウム押出し成形によって形成され得るか、銅又はセラミックで作られ得る。放熱板５は、複数の平行である熱放散フィン５２、及び対向する第１及び第２の面５１１，５１２を有するベース板５１を有する。ベース板５１の第１の面５１１は、回路取付け側としての役割をなし、その上に熱伝導性絶縁膜１４を備えられる。熱放散フィン５２は、ベース板５１の第２の面５１２から延在する。ベース板５１は、対向する端面を有し、その各々が係合溝５３を有して形成される。この実施例においては、点灯機器は、１つのみの点灯ユニット、及びプリント回路３’を有する。点灯ユニットは、２つの発光ダイオード２１、及び、第１の放熱板５のベース板５１の第１の面５１１上、即ち回路取付け側上に取り付けられて発光ダイオード２１’を覆う透明なカバー部材２２’を有する。図５中に示される透明なカバー部材２２’は、図３中に示される透明なカバー部材２０とは、透明なカバー部材２０’が中空のレンズ取付け台座２２１及び集光レンズ２２２を有する点において異なる。レンズ取付け台座２２１は、放熱板５の回路取付け側上に固定的に取り付けられ、発光ダイオード２１’の周囲に配置される。集光レンズ２２２は、レンズ取付け台座２２１上に取り付けられ、レンズ取付け台座２２１と協働し、それによって生成された集光に対して発光ダイオード２１’を覆うようにする。レンズ取付け台座２２１は、放熱板５のベース板５１の端面において係合溝５１３と夫々係合する対向する係合フック２２３を有して形成される。
【００１４】
図６は、第２の望ましい実施例の変形である、本発明に従った照明装置の第３の望ましい実施例を例示する。第２の望ましい実施例とは異なり、照明装置は、放熱板から感覚を開けられた追加的な放熱板６１、放熱板５，６１に対して熱伝導的に夫々接続された対向する末端部分を有する熱交換パイプ７、及び、放熱板６１上に取り付けられた追加的な熱放散ファン４’を有する。放熱板５，６１、熱交換パイプ７、及び熱放散ファン４’は、水平方向において配置される。
【００１５】
図７乃至図９を参照すると、第１の望ましい実施例の変形である、本発明に従った照明装置の第４の望ましい実施例である。第１の望ましい実施例とは異なり、照明装置は、シリコン接着剤を使用して放熱板１のベース板１１の第１の面１１１上に固定的に配列され、上にプリント回路３’’を備えられる回路基板８を、更に有する。回路基板８は、点灯ユニット２の発光ダイオード２１を夫々受ける複数のスルーホール８２を有して形成され、点灯ユニット２の発光ダイオード２１が熱伝導性絶縁膜１４上に直接取り付けられるようにする、ことが留意される。
【００１６】
図１０を参照すると、第４の望ましい実施例の変形である、本発明に従った照明装置の第５の望ましい実施例である。この実施例では、照明装置の各点灯ユニットの発光ダイオード２１’’は、２つの灯芯２１１を有して形成され、それによって照明装置の輝度を高める。
【００１７】
本発明は、最も実際的且つ望ましい実施例と考えられるものと関連して説明されるが、本発明が、開示された実施例に制限されず、全てのかかる変形及び同等の配置を網羅するために最も広い解釈の主旨及び範囲内に有される多種の配置に及ぶよう意図される、ことは理解される。
【図面の簡単な説明】
【００１８】
【図１】従来の照明装置の斜視図である。
【図２】従来の照明装置の概略的な断面図である。
【図３】本発明に従った照明装置の第１の望ましい実施例を示す部分的な分解斜視図である。
【図４】第１の望ましい実施例の部分概略断面図である。
【図５】本発明に従った照明装置の第２の望ましい実施例を示す部分的な分解斜視図である。
【図６】本発明に従った照明装置の第３の望ましい実施例を示す斜視図である。
【図７】本発明に従った照明装置の第４の望ましい実施例の分解斜視図である。
【図８】第４の望ましい実施例を示す組立斜視図である。
【図９】第４の望ましい実施例の部分概略断面図である。
【図１０】本発明に従った照明装置の第５の望ましい実施例を示す部分的な分解斜視図である。
【符号の説明】
【００１９】
１  放熱板
２  点灯ユニット
３  プリント回路
４  熱放散ファン
１１  ベース板
１２  熱放散フィン
１４  熱伝導性絶縁膜
２１  発光ダイオード
２２  カバー部材
１１１  第１の面
１１２  第２の面
１２１  第１の端部
１２２  第２の端部
【図１】
2007234571.tif 000003
【図２】
2007234571.tif 000004
【図３】
2007234571.tif 000005
【図４】
2007234571.tif 000006
【図５】
2007234571.tif 000007
【図６】
2007234571.tif 000008
【図７】
2007234571.tif 000009
【図８】
2007234571.tif 000010
【図９】
2007234571.tif 000011
【図１０】
2007234571.tif 000012